(57)【要約】容器（１２）の口のためのタンパエビデント蓋組立て体（１０）は容器（１２）を閉じるための蓋（１５）と、蓋の取り外しを防ぐためのストリップ（１４）とを備える。ストリップ（１４）の除去又は切り離しによって蓋（１５）を取り外すことが可能になる。このストリップ（１４）は、その一端に開口（２４）を有するブロック（２０）が形成され、その長さの少なくとも一部分に沿って鋸歯状の歯（２２）が形成され、その結果としてこのストリップは、蓋組立て体から除去した後、ケーブルタイとして使用できる。
2010506809.tif 000002
【特許請求の範囲】
【請求項１】
容器の口を閉じる蓋と、蓋の取り外しを防ぐストリップであって、これを除去又は切り離すことによって蓋の取り外しを可能にするストリップとを備える、容器の口のためのタンパエビデント蓋組立て体において、前記ストリップは、蓋組立て体から除去した後にケーブルタイとして使用することができるように、その一端に開口を有するブロックが形成され、その長さの少なくとも一部分に沿って鋸歯状の歯が形成されていることを特徴とするタンパエビデント蓋組立て体。
【請求項２】
前記ストリップは口の周囲の少なくとも一部分を囲み、前記ストリップは最初蓋と一体であって、１つ以上の破断可能な要素により蓋に連結されており、前記ストリップは蓋と一体である間蓋の取り外しを防ぐことを特徴とする請求項１記載のタンパエビデント蓋組立て体。
【請求項３】
前記ブロックは前記ストリップの残部より厚いことを特徴とする請求項１又は２記載のタンパエビデント蓋組立て体。
【請求項４】
除去される前記ストリップの長さ及びケーブルタイとして使用可能なストリップの長さは容器の口の周囲と実質的に同一であることを特徴とする請求項１−３のいずれかに記載のタンパエビデント蓋組立て体。
【請求項５】
容器から除去される前記ストリップは２つ以上の区分からなり、各ストリップ区分は、蓋組立て体から除去した後にケーブルタイとして使用することができるように、その一端に開口を有するブロックが形成され、その長さの少なくとも一部分に沿って鋸歯状の歯が形成されていることを特徴とする請求項１−３のいずれかに記載のタンパエビデント蓋組立て体。
【請求項６】
ケーブルタイとして使用可能な各ストリップの長さは５ｃｍ以上であることを特徴とする請求項１−５のいずれかに記載のタンパエビデント蓋組立て体。
【請求項７】
前記長さは５〜２０ｃｍであることを特徴とする請求項６記載のタンパエビデント蓋組立て体。
【請求項８】
前記ストリップの幅は１．５ｍｍ以上であることを特徴とする請求項１−６のいずれかに記載のタンパエビデント蓋組立て体。
【請求項９】
前記ストリップの幅は１．５〜４ｍｍの範囲内であることを特徴とする請求項８記載のタンパエビデント蓋組立て体。
【請求項１０】
鋸歯状の歯の高さを含む前記ストリップの厚さは１ｍｍ以上であることを特徴とする請求項１−９のいずれかに記載のタンパエビデント蓋組立て体。
【請求項１１】
前記厚さは１〜３ｍｍの範囲内であることを特徴とする請求項１０記載のタンパエビデント蓋組立て体。
【請求項１２】
前記ブロックは蓋組立て体から突出していることを特徴とする請求項１−１１のいずれかに記載のタンパエビデント蓋組立て体。
【請求項１３】
前記ブロックは少なくとも部分的にくぼみに置かれ、前記ストリップの他端が蓋組立て体から突出していることを特徴とする請求項１−１１のいずれかに記載のタンパエビデント蓋組立て体。
【請求項１４】
前記ブロックは情報が提示される表面を提供することを特徴とする請求項１−１３のいずれかに記載のタンパエビデント蓋組立て体。
【請求項１５】
前記ブロック内に埋め込まれた電子デバイスも備えることを特徴とする請求項１−１４のいずれかに記載のタンパエビデント蓋組立て体。
【請求項１６】
前記ストリップは、蓋組立て体から除去される前に、連続したリングを形成することを特徴とする請求項１−１５のいずれかに記載のタンパエビデント蓋組立て体。
【請求項１７】
前記連続したリングは前記ブロックに隣接した位置に肉薄部分が形成されていることを特徴とする請求項１６記載のタンパエビデント蓋組立て体。
【発明の詳細な説明】
【技術分野】
【０００１】
本発明は、容器のためのクロージャ、特にセキュリティデバイス又はタンパエビデントク（不正開封防止機能付き）クロージャと称されるタイプのクロージャに関する。
【背景技術】
【０００２】
一連の様々なタンパエビデント（不正開封防止機能付き）蓋組立て体が市販されており、それらの多くは蓋を開けることができるようにするためにストリップを除去する必要がある。広く使用されているタンパエビデント蓋組立て体は、容器の周囲に、切り取りストリップによりキャップに連結されたリングを有し、このリングはキャップの方向に引っ張ることによって容器から取り除くことはできない。切り取りストリップはリングおよびキャップと同じ材料からなり、これらの構成要素は最初一体であり、同じ材料の細いストランド又はウェブにより連結されている。キャップを開けるために、ストリップを（一端を引っ張ることにより）切り離して連結ストランド又はウェブを破断すると、キャップを開けることができるようになる。スクリューネックボトル又はポットに好適な別のタイプのタンパエビデント蓋組立て体はリングとねじ付きキャップの組み合わせであり、キャップは最初リングと一体であり、同じ材料の細いストランド又はウェブによりリングに連結されており、リングはキャップの方向に引っ張ることによって容器から除去することはできない。この場合には、十分なねじりトルクをキャップに加えれば、キャップとリングとの間の連結部が破断され、キャップを開けることができる。両タイプとも、一旦キャップを開けたら、リング及び切り取りストリップ（もしあれば）は通常その後は何の役にもたたない。
【発明の概要】
【０００３】
本発明によれば、容器の口を閉じるための蓋と、蓋の取り外しを防ぐためのストリップであって、これを除去又は切り離すことによって蓋の取り外しを可能にするストリップとを備える、容器の口のためのタンパエビデント蓋組立て体が提供され、この蓋組立て体においては、前記ストリップは、蓋組立て体から除去した後にケーブルタイとして使用することができるように、その一端に開口を有するブロックが形成され、その長さの少なくとも一部分に沿って鋸歯状の歯が形成されていることを特徴とする。
【０００４】
本発明は、容器の口を閉じるための蓋と、口の周囲の少なくとも一部分を囲むストリップであって、最初は前記蓋と一体であり、１つ以上の破断可能な要素により前記蓋に連結されていて、一体である間蓋の取り外しを防ぐためのストリップとを備える、容器の口のためのタンパエビデント蓋組立て体も提供され、この蓋組立て体においては、前記ストリップは、蓋組立て体から除去した後にケーブルタイとして使用することができるように、その一端に開口を有するブロックが形成され、その長さの少なくとも一部分に沿って鋸歯状の歯が形成されていることを特徴とする。
【０００５】
その一端に開口を形成するブロックを有しその長さの一部分に沿って鋸歯状の歯を有する可とう性材料のストリップからなり、このストリップの他端を開口に通すと鋸歯状の歯が開口内の要素と係合するようになっているケーブルタイは周知である。鋸歯状の歯と開口内の要素との係合は、ストリップを再び引き戻すことが容易にできないようになっている。したがって、ケーブルタイは所望の大きさのループを形成するまで引っ張り、その大きさのままに維持することができる。ケーブルタイは一連の異なる長さにでき、広範囲の様々な目的に使用できる。ケーブルタイは、その名前が示すように、ケーブルを一緒に固定するため又はケーブルを支持体に固定するために使用できるが、広範囲の関係のない目的のために使用することもでき、例えば植物の茎を支柱に固定するため、又は木を杭に固定するため、又は枝を横木又はワイヤに固定するため、プラスチック袋の首を結束するため、又は物品を一緒に紐で結束する任意の他の用途に使用することができる。開口内の係合要素は鋸歯状の歯とほぼ永久的に係合するため、タイはストリップを切断することによってのみ解除できる。また、ストリップを引き抜くことができるように係合要素を歯から外す手段をブロックに設けることもできる。
【０００６】
したがって、本発明によれば、容器のストリップ、即ち最初はセキュリティデバイスの一部分を成す部分、をケーブルタイとして再利用することが可能になる。本発明の重要な点は、クロージャ（タンパエビデント蓋組立て体）のストリップに孔又は開口を設け、この孔又は開口にケーブルタイのブロックの逆戻り防止要素を設けることにある。ストリップの内周面に突出歯を設けることはクロージャの動作とコンパチブルであり、これらの歯を適切に形成すれば、ストリップをケーブルタイとして使用することが可能になる。ブロック内において、開口内のプラスチックの表面は、ストリップを開口内に押し込むことができるが引き戻すことはできない係合要素をもたらすように角度がつけられる。ブロックの厚さによって、ストリップをケーブルタイとして固定するために係合要素が鋸歯状歯と係合できる長さが決まる。ブロックはストリップの残部より厚くできるが、ストリップの残部と同じ厚さにすることもできる。
【０００７】
ストリップの長さは容器の口の周囲とほぼ同一の長さである点に留意されたい。それゆえ、典型的には長さは５ｃｍ以上であり、例えば５〜１０ｃｍである。大きな容器に対しては、ストリップはその周囲を端から端まで囲む２つ以上の区分からなり、各ストリップ区分は、蓋組立て体から除去した後にケーブルタイとして使用することができるように、その一端に開口を有するブロックが形成され、その長さの少なくとも一部分に沿って鋸歯状の歯が形成される。ストリップの幅(すなわち、蓋から遠ざかる方向に測った幅)は、典型的には１．５ｍｍ以上、例えば１．５〜４ｍｍの範囲内、より典型的には２〜３ｍｍの範囲内にし、ストリップの厚さは典型的には鋸歯状の歯を含めて１ｍｍ以上、例えば１〜３ｍｍの範囲内にする。ブロックを貫通する開口はストリップを受け入れるのに十分な大きさにしなければならないこと明らかである。
【０００８】
ブロックは蓋の側面から突出させて、ストリップを取り除く際に引っ張るのに便利な部分を提供することができる。その結果、ブロックはタブとすることができる。ブロックは、例えばバーコード又はＱＲコード、ロゴ又は商標などの情報又は容器内の製品に関する情報が提示される表面を提供できる点に留意されたい。このような情報はブロックの材料上に直接印刷する、又はブロックに取り付けられたラベルに印刷する、又はブロック内に埋め込まれたＲＦＩＤのような電子デバイスに記録することもできる。
【０００９】
本発明は、上述した両タイプのタンパエビデント蓋組立て体に適用することができる。３部分蓋組立て体においては、リングは切り取りストリップによりキャップに連結され、キャップを開けるためには、ストリップの一端を引っ張って、リングとストリップとキャップを連結するストランド又はウェブを破断することによって、ストリップを切り離す必要がある。この場合には、切り離しストリップを本発明のストリップにすることができる。２部分蓋組立て体においては、リングはねじキャップに連結され、キャップは最初リングと一体であり、同じ材料の細いストランド又はウェブによりリングに連結されている。十分なねじりトルクをキャップに加えると、キャップとリングとの間の連結部が破断され、キャップを開けることができる。この場合には、リングの周囲の１点にブロックを設けることができるため、ユーザは本発明のストリップを得るためにブロックに隣接した点でリングを切断又は破断しなければならない。これは、ブロックに隣接した点にリングの肉薄部分を設けることによって簡単に実現でき、その結果、リングをブロック隣接点で破断して本発明のストリップを得ることができる。３部分蓋組立て体のリングもこれらの特徴を有することができるため、そのリングを本発明のストリップにすることもできる。
【００１０】
本発明を添付図面を参照しながら一例としてのみ更に詳細に説明する。
【図面の簡単な説明】
【００１１】
【図１】本発明のタンパエビデント蓋組立て体の一実施例の斜視図を示す。
【図２】本発明のタンパエビデント蓋組立て体の代替実施例の斜視図を示す。
【図３】図２のタンパエビデント蓋組立て体の変形例の斜視図を示す。
【図４】図１のタンパエビデント蓋組立て体から取り外された、一端に一体のブロックを有するストリップの、まっすぐなときの側面図を示す。
【図５】図４のストリップの一端をブロックに挿入してループを形成するためにねじられたストリップの斜視図を示す。
【図６】ストリップをブロックに挿入しているときの図５の線６−６上の断面図を示す。
【図７】図２のタンパエビデント蓋組立て体から取り外された切り取りストリップの側面図を示す。
【図８】図３のタンパエビデント蓋組立て体から取り外された切り取りストリップの側面図を示す。
【発明を実施するための形態】
【００１２】
図１につき説明すると、図１にはボトル１２（一部分のみを示す）に連結されたタンパエビデント蓋組立て体１０が示されている。組立て体１０は２部分組立て体であり、同じ材料のリング１４とねじキャップ１５とからなり、同じ材料のいくつかの細いストランド１６により互いに連結されて一体になっている。リング１４は、ボトル１２のネック部上の、リング１４のすぐ上及びすぐ下に位置する２つの円周リッジ１７間に位置するため、リング１４はボトル１２から取り外すことはできない。従って、キャップ１５とリング１４との間の連結はキャップ１５の取り外しを防止する。キャップ１５を取り外したい場合には、十分な力でキャップをねじってストランド１６を破断すれば、キャップ１５を取り外すことができる。これらの特徴は通常のものである。
【００１３】
組立て体１０においては、リング１４はその周囲の一点にブロック２０が形成され、ブロック２０の片側に直接隣接して肉薄部分２１が形成されている。キャップ１５を取り外した後に、例えばスクリュードライバを使ってブロック２０をボトル１２のネック部から持ち上げ、リング１４を肉薄部分２１で破断して、一端にブロック２０を有するストリップ１４ａを形成することができる。ここで図４、図５及び図６を参照すると、リング１４、従ってストリップ１４ａはその内周面に鋸歯状の歯２２が形成され、ブロック２０にはストリップ１４ａの端を９０°ねじって挿入できる矩形のスロット２４が形成されている。ブロック２０内には、対応する傾斜歯２６が形成され(図６参照)、歯２２及び歯２６の形状は、ストリップ１４ａをスロット２４に押し込むことができるが引き戻すことができないようになっている。従って、ストリップ１４ａはケーブルを一緒に固定するケーブルタイとして使用することができる。
【００１４】
変形例では、ブロックをストリップの残部より厚くしない。この場合には、ブロック内のたった１つの歯がストリップの歯と係合するだけになるかもしれない。
【００１５】
図２につき説明すると、図２にはボトル又は容器３２（一部分のみを示す）に連結されたタンパエビデント蓋組立て体３０の代替例が示されている。この蓋組立て体３０は３部分組立て体であり、リング３４と、切り取りストリップ３５と、キャップ３６とからなる。リング３４は容器３２のネック部上のリッジ(図示せず)と容器の肩部３３との間に位置するため、リング３４は容器３２から取り外すことはできない。キャップ３６は、その周囲の短い長さに亘って、細幅のヒンジストリップ３７によりリング３４に直接連結され、その周囲の残りに部分に亘って、キャップ３６は細いストランド３８により連結された切り取りストリップ３５によってリング３４に連結されており、リング３４、切り取りストリップ３５、キャップ３６、ヒンジストリップ３７及びストランド３８はすべて互いに一体であり、同じプラスチック材料からなる。容器３２を開けたいときは、切り取りストリップ３５を引き切る。この場合、キャップ３６を開けることができるが、キャップ３６はヒンジストリップ３７により容器３２に連結されたままとなるため、キャップ３６を置き忘れることがなくなる。本例では、キャップ３６は容器３２のネック部の上端にクリップ止めされるため、容器３２を再び閉じることができる。これらの特徴は既知である。
【００１６】
組立て体３０において、切り取りストリップ３５は一端にストリップ３５の残部より幅が広い突出タブ又はブロック４０が形成される。このブロック４０は切り取りストリップ３５を引き切る際に便利な取手を提供する。ブロック４０には矩形のスロット４２も形成される。ここで図７を参照すると、図７に示されるように、切り取りストリップ３５はその内周面に鋸歯状の歯４４を有し、ブロック４０は切り取りストリップ３５の端を挿入できる矩形のスロット４２を有する。ブロック２０と同様に、ブロック４０内に対応する傾斜歯（図示せず）が形成され、歯４４とブロック４０内の歯の形状は、切り取りストリップ３５をスロット４２に押し込むことができるが引き戻すことはできないようになっている。従って、切り取りストリップ３５はケーブルを一緒に固定するケーブルタイとして使用できる。
【００１７】
図３につき説明すると、図３には図２の組立て体３０と共通のいくつかの特徴を有するタンパエビデント蓋組立て体５０の代替例が示されている。この組立て体５０も３部分組立て体であり、リング５４と、切り取りストリップ５５と、キャップ５６とからなり、リング５４は容器５２から取り外すことはできない。本例では、キャップ５６は、その全周に亘って、細いストランド５８により連結された切り取りストリップ５５によってリング５４に連結されているため、リング５４、切り取りストリップ５５、キャップ５６及びストランド５８は全て互いに一体であり、同じプラスチック材料からなる。同様に切り取りストリップ５５の一端にブロック６０を有するが、本例ではブロック６０は切り取りストリップ５５より厚い分だけ突出し、ブロック６０の上部及び下部はリング５４及びキャップ５６の対応するくぼみ内に位置し、切り取りストリップ５５の他端において端部分６１が段差部６３で外側に突出し、（ブロック６０に連結されないで）ブロック６０とオーバラップしている。
【００１８】
蓋組立て体５０を開けるとき、切り取りストリップ５５を突出部分６１により引っ張って完全に切り離す。このときキャップ５６を開けることができる。このように切り離された切り取りストリップ５５は切り取りストリップ３５に類似する。図８に示されているように、ここで図８を参照すると、ストリップ５５はその内周面の大部分に沿って鋸歯状の歯６４が形成されるが端部分６１には形成されず、ブロック６０には切り取りストリップ３５の遊端を挿入できる矩形のスロット６２が形成される。ブロック６０内には対応する傾斜歯が形成され、これらの歯の形状は、切り取りストリップ３５をスロット４２に押し込むことができるが引き戻すことはできないようになっている。従って、切り取りストリップ５５はケーブルを一緒に固定するケーブルタイとして使用できる。
【００１９】
蓋組立て体１０，３０及び５０は一例として与えられているにすぎず、これらは本発明の範囲内において種々に変更することができることに留意されたい。例えば、ストリップ１４ａ及び切り取りストリップ３５及び５５はそれらのほぼ全長に沿って歯を有するものとして示されているが、そのかわりにそれらの長さの一部分にのみ沿って歯を有するものとしてもよい。歯２２，４４及び６４はストリップの幅全体を横切るものとして示されているが、幅の一部分のみを横切るものとしてもよい。また、歯２２，４４及び６４は、ブロック２０，４０及び６０内の対応する傾斜歯と係合するのに十分な大きさである限り、図示の例より小さくしてもよい。蓋組立て体１０，３０及び５０は円形の口を有する容器用であるが、異なる形、例えば矩形の口を有する容器用に容易に変更することもできる。
【００２０】
例えば、図８のストリップ５５は、歯６４をトリップの端部分６１にのみ設け、ストリップの残部には設けないように変更してもよい。この変更は、段差部６３自体をスロット６２に通すことができない場合に必要であるが、これはサイズ調整範囲がかなり制限されたケーブルタイをもたらす。
【００２１】
ストリップの端はブロックの開口を通らなければならない。ブロックはストリップと同じ幅にすることができ(図１参照)、この場合には開口はストリップの端を９０°ねじらなければ通すことができない向きにしなければならない(図５参照)。蓋組立て体３０及び５０はストリップと同じ幅のブロックを有するように変更することもできることに留意されたい。他の構成はストリップより幅の広いブロックを有するものであり（図２及び図３参照）、この場合には開口はストリップの端をねじらないで開口に通すことができる向きにすることができる(図７及び図８参照)。蓋組立て体１０は、ブロックがキャップ１５に固定されない限り、ストリップより幅の広いブロックを有するように変更してもよいことに留意されたい。
【００２２】
上述した実施例では、得られるケーブルタイは、組み立てられた状態では、ケーブルタイにより形成されるループの外側に突出する遊端を有するが、代案として、タイの遊端が得られるループの内側に突出するようにブロック内の係合要素を反対向きにすることもできる。
【００２３】
更に、いくつかの設計のケーブルタイと同様に、ストリップを引き抜くことができるように、そしてケーブルタイを切り離して再使用することができるように、各例におけるブロックはストリップの歯から係合要素を外す手段を含むことができる。
【図１】
2010506809.tif 000003
【図２】
2010506809.tif 000004
【図３】
2010506809.tif 000005
【図４】
2010506809.tif 000006
【図５】
2010506809.tif 000007
【図６】
2010506809.tif 000008
【図７】
2010506809.tif 000009
【図８】
2010506809.tif 000010
【国際調査報告】
2010506809.tif 000011
2010506809.tif 000012